(57)【要約】【課題】  吊り込み作業を要としない靴製作方法を提供することである。【解決手段】  本発明による靴製作方法は、靴型を用意し、該靴型に靴下を被せ、該靴下を樹脂材料で被覆し甲革を形成し、靴底を用意し、該靴底を甲革の底面に取り付けることを含む、ことを特徴とする。【選択図】      図２
2005334622.tif 000002
【特許請求の範囲】
【請求項１】
靴製作方法であって、
靴型を用意し、
該靴型に靴下を被せ、
該靴下を樹脂材料で被覆して甲革を形成し、
靴底を用意し、該靴底を甲革の底面に取り付けることを含む、
靴製作方法。
【請求項２】
前記甲革を形成する工程が、所望する靴の形状を得るのに余分な前記甲革の部分をカットすることを含む、請求項１記載の製作作方法。
【請求項３】
前記甲革の外層を形成する前記樹脂材料は、天然ゴム、合成ゴム、ポリウレタン、塩化ビニル、酢酸ビニル、アクリルゴム、アクリルシリコン、熱可塑性エラストマーの群から選択される、請求項１に記載の靴の製作方法。
【請求項４】
深型注文生産靴の製作方法であって、
注文者が履いている第１靴下に石膏ギプスを巻いて固まらせ、
注文者の足から石膏ギプスを外して、１次陰性石膏型を得、
該１次陰性石膏型に石膏を流し込み、該石膏を固まらせて、１次陽性石膏型を形成し、
前記１次陰性石膏型から１次陽性石膏型を取り出し、
該１次陽性石膏型の足底部に加熱軟化させた発泡樹脂材料を付けて成型して、中敷部を形成し、
該中敷部を備えた前記１次陽性石膏型に石膏ギプスを巻いて固まらせ、２次陰性石膏型を形成し、
該２次陰性石膏型を、前記中敷部を備えた前記１次陽性石膏型から外し、
前記２次陰性石膏型に石膏を流し込んで固まらせて、２次陽性石膏型を形成し、
前記２次陰性石膏型から前記２次陽性石膏型を取り出し、
該２次陽性石膏型に第２靴下を被せ、
該第２靴下のヒールカウンター部分及びトウボックス部分の少なくとも一方に硬化処理を施して芯を形成し、
第３靴下を前記第２靴下に被せて、前記第２靴下と結合させ、
前記第３靴下に硬質又は半硬質樹脂材料を塗布して、甲革の外層を形成し、
該甲革から前記２次陽性石膏型を取り出し、
前記甲革に靴底を取り付け、
前記中敷部を前記甲革内部に敷設することを含む、
深型注文生産靴の製作方法。
【請求項５】
前記芯は繊維強化樹脂部材からなる、請求項４に記載の深型注文生産靴の製作方法。
【請求項６】
前記第２靴下は無縫製靴下からなり、前記第１靴下と前記第２靴下とが接着剤によって結合される、請求項４に記載の深型注文生産靴の製作方法。
【請求項７】
前記甲革の外層を形成する前記樹脂材料は、スチレンブタジエンゴムのようなセメント配合合成ゴム、ポリウレタン、塩化ビニル、酢酸ビニル、アクリルゴム、アクリルシリコン、熱可塑性エラストマーの群から選択される、請求項４に記載の深型注文生産靴の製作方法。
【発明の詳細な説明】
【技術分野】
【０００１】
本発明は靴の製作方法に関し、特に、吊り込み工程を伴わない靴の製作方法に関する。
【背景技術】
【０００２】
従来から、木型を製作し、甲革を製作し、甲革を木型に馴染ませ(吊り込みし)、吊り込んだ甲革と底材とを縫い付け、底材に中敷を敷くことからなる靴製作方法が知られている。
【０００３】
この靴製作方法における吊り込み工程では、甲革を引っ張って木型に沿わせ、この状態で釘を用いて甲革を木型に止める。
【０００４】
この吊り込み工程作業は、従来の靴製作には必須の重要なものであるが手間のかかる作業である。
【発明の開示】
【発明が解決しようとする課題】
【０００５】
本発明の目的は、上記問題点を解決し、吊り込み工程を要しない、簡易な靴製作方法を提供することである。
【０００６】
上記目的を達成するため、本発明の靴製作方法は、靴型を用意し、該靴型に靴下を被せ、該靴下を樹脂材料で被覆して甲革を形成し、靴底を用意し、該靴底を甲革の底面に取り付けることを含むことを特徴とする。
【０００７】
本発明では、前記甲革を形成する工程が、所望する靴の形状を得るのに余分な前記甲革の部分をカットすることを含むのが好ましい。
【０００８】
また、前記甲革の外層を形成する前記樹脂材料は、天然ゴム、合成ゴム、ポリウレタン、塩化ビニル、酢酸ビニル、アクリルゴム、アクリルシリコン、熱可塑性エラストマーの群から選択される、のが好ましい。
【０００９】
上記目的を達成するため、本発明の深型注文生産靴製作方法はまた、注文者が履いている第１靴下に石膏ギプスを巻いて固まらせ、注文者の足から石膏ギプスを外して、１次陰性石膏型を得、該１次陰性石膏型に石膏を流し込み、該石膏を固まらせて、１次陽性石膏型を形成し、前記１次陰性石膏型から１次陽性石膏型を取り出し、該１次陽性石膏型の足底部に加熱軟化させた発泡樹脂材料を付けて成型して、中敷部を形成し、該中敷部を備えた前記１次陽性石膏型に石膏ギプスを巻いて固まらせ、２次陰性石膏型を形成し、該２次陰性石膏型を、前記中敷部を備えた前記１次陽性石膏型から外し、前記２次陰性石膏型に石膏を流し込んで固まらせて、２次陽性石膏型を形成し、前記２次陰性石膏型から前記２次陽性石膏型を取り出し、該２次陽性石膏型に第２靴下を被せ、該第２靴下のヒールカウンター部分及びトウボックス部分の少なくとも一方に硬化処理を施して芯を形成し、第３靴下を前記第２靴下に被せて、前記第２靴下と結合させ、前記第３靴下に硬質又は半硬質樹脂材料を塗布して、甲革の外層を形成し、該甲革から前記２次陽性石膏型を取り出し、前記甲革に靴底を取り付け、前記中敷部を前記甲革内部に敷設することを含む、ことを特徴とする。
【００１０】
この発明では、前記芯は繊維強化樹脂部材からなる、のが好ましい。
【００１１】
また、前記第２靴下は無縫製靴下からなり、前記第１靴下と前記第２靴下とが接着剤によって結合される、のが好ましい。
更に、前記甲革の外層を形成する前記硬質又は半硬質樹脂材料は、スチレンブタジエンゴムのようなセメント配合合成ゴム、ポリウレタン、塩化ビニル、酢酸ビニル、アクリルゴム、アクリルシリコン、熱可塑性エラストマーの群から選択される、のが好ましい。
【発明の効果】
【００１２】
上記構成による本発明の靴製作方法では、靴型に靴下を被せ、該靴下に樹脂材料で被覆し、これを硬化させて甲革を形成することとしたので、手間のかかる吊り込み工程なしに、靴を製作することができる。
【発明を実施するための最良の形態】
【００１３】
以下、添付図面を参照して、本発明による靴製作方法の実施形態について説明する。
図１を参照すると、靴製作方法の第１工程である、靴型１に靴下２を被せる工程が示されている。
【００１４】
靴型１は、万人向けに作られた、異なる寸法形状のものの中から選択された任意の１つのものであっても良いし、靴注文者の足の寸法形状に基づいて個々的に作られたものであっても良く、また、靴型１は、木、樹脂、金属、石膏など、既存の靴型に用いられている任意の材料で作られる。靴下２は既知の任意のものを用いることができる。
【００１５】
本発明の靴製作方法は、その第２工程として、図２に示すように、靴型１に被せられた靴下２を樹脂材料３で被覆する工程を有する。樹脂材料３で被覆する靴下２の領域は、靴型１に対応する部分で十分である。
【００１６】
樹脂材料３は、靴下２を被覆することにより、(硬化し、または、硬化させることによって)甲革を形成することができる材料であれば良く、軟質樹脂、硬質樹脂、或いは、半硬質樹脂のいずれをも用いることができ、例えば、天然ゴム、合成ゴム、ポリウレタン、塩化ビニル、酢酸ビニル、シリコン、熱可塑性エラストマー、又は、これらの組み合わせを用いることができる。
【００１７】
樹脂材料３による靴下２の被覆は、この実施形態では、浸漬法により行われた。すなわち、樹脂材料３を溶解し、溶解した樹脂材料３に靴下２を被せた靴型１を浸け、靴型１に対応した靴下２の部分に樹脂材料３を被覆させた。
しかし、樹脂材料３による靴下２の被覆の仕方は、浸漬法に特に限定されず、これと同様な効果をもたらす任意の方法を用いることができる。例えば、溶解させた樹脂材料３を、刷毛などを用いて、靴型１型に被せた靴下２の適当部分に塗るという塗布法を用いても良いし、溶解させた樹脂材料３をスプレー手段を用いて靴型１型に被せた靴下２の適当部分に吹き付けるという吹き付け法を用いても良い。
【００１８】
かくして、本発明では、手間のかかる吊り込み作業なしに甲革を形成することができる。
【００１９】
本発明の靴製作方法は、その第３工程として、図３に示すように、別個に用意しておいた靴底５を甲革４の底面に取り付ける工程を有する。甲革４の底面への靴底５の取り付けは、例えば、甲革４の底面及び／又は靴底５の上面に接着剤を塗布し、これらを接着することによって行っても良いし、靴底５を甲革４の底部に糸で縫いつけても良い。靴底５は、既知の任意のものでよい。
【００２０】
本発明の靴製作方法は、その第４工程として、所望する靴の形状を得るのに余分な甲革の部分をカットする工程を有する。勿論、この工程は、所望する靴の形状を得るのには不要となる靴下２の領域又は部分に樹脂材料３をつけないことによって、省略することができる。図４Ａは、短靴タイプの靴に適するように余分な部分をカットした甲革４の例を示し、図４Ｂは、所謂パンプスタイプの靴に適するようにカットした甲革４の例を示す。図４Ａ、図４Ｂにおいて、カットされた甲革４の部分、すなわち、縁部を破線で示す。
【００２１】
本発明の靴製作方法は、その第５工程として、靴下２と、軟性質樹脂材料３による被覆層とからなる甲革から靴型１を引き抜く工程を有する(図示せず)。
【００２２】
尚、上記第３乃至第５工程の順序は、上記例の順序に限定されず、例えば、甲革４への靴底５の取り付けに先立って、甲革４の不要部分をカットしても良い。
【００２３】
かくして得られた靴底５付き甲革４は、吊り込み工程を含む従来の靴製作方法を用いて得られるものに相当する。従って、靴底５付き甲革４に対して以降必要になる所謂仕上げ工程は、従来の靴製作方法における既知の仕上げ工程を用いることができる。すなわち、以降の工程は、本発明の特徴を構成しない。
【００２４】
念のため、仕上げ工程を、図４Ａに示した靴底５付き甲革４を用いて短靴タイプの靴を製作する場合を例にとって説明する。
【００２５】
先ず、図５に示すように、甲革４の上方開口部、すなわち、履き口４Ａの前縁中央部から前方に向けて甲革４を切開し、切開部６の左右各側方部に羽根部６Ａ、６Ｂを形成する。羽根部６Ａ、６Ｂは、切開された甲革４の部分を折り返し、これを縫製して形成しても良い。
【００２６】
次いで、図６に示すように、切開部６の前端部に隣接した甲革４の部分に舌革等の舌部材７を縫い付け、各羽根部６Ａ、６Ｂに鳩目８を形成し、中敷(図示せず)を履き口４Ａから挿入し、鳩目８に靴紐９を通す。
【００２７】
既に知られているように、羽根部６Ａ、６Ｂに、鳩目８を形成する代わりに、留め部材(図示せず)を取り付けても良い。この留め部材は、例えば、その左側端部を羽根部６Ａに固定し、右側端部の下面に雄形ベルクロバンドを取り付け、羽根部６Ｂに雌形ベルクロバンドを固定することによって構成しても良い。
【００２８】
かくして得られた靴に、その他の既知の追加の作業を施すことは自由である。例えば、甲革４の適所に飾り穴を設けても良い。
【００２９】
次に、本発明による靴製作方法の別の実施形態を説明する。
この実施形態は、本発明を、深型注文生産靴の製作方法に適用したものである。
【００３０】
この靴製作方法では、先ず、靴注文者の足から石膏型を得る。
すなわち、図７に示すように注文者の足１０に既知の任意の靴下１１を履かせ、その上につま先の先端から足関節の内踝より上約３ｃｍまで石膏ギプス１２を巻き、足関節及び距骨下関節の配列を整えた状態で５〜１０分間保持し、石膏ギプス１２が固まるのを待つ。固まったら、石膏ギプス１２の足背面に縦切開を入れて足１０から石膏ギプス１２を外す。切開部を石膏ギプスで塞いで、１次陰性石膏型１４を得る。
【００３１】
石膏ギブス１２を巻くのに先立って靴下２を履くのは、靴下１１の厚みを靴に反映させるためであり、従って、１次陰性石膏型１４の内部は靴下の厚さ分だけ実際の足よりも大きくなっている。
【００３２】
次の工程は、図８に示すように、１次陰性石膏型１４に石膏１５を流し込むことである。石膏１５を流し込み、石膏を硬化させる。石膏が固まったら外側の１次陰性石膏型１４を外し、むき出しになった石膏１５の表面をヤスリで整え、これにより１次陽性石膏型１６を得る。
【００３３】
次ぎに、１次陽性石膏型１６の足底部に加熱軟化した発泡樹脂材料、例えば熱可塑性ポリエチレンフォーム１７を付けて成型し、それにより足底部に適合した中敷部(insole)１８が製作される（図９）。
【００３４】
次の工程として、図１０に示すように、先の１次陽性石膏型１６の足底部に熱可塑性ポリエチレンフォームの中敷１８を合わせたまま、その上から石膏ギプス１９を巻いて、固まるまで、５〜１０間そのままに保持する。固まったら、石膏ギブス１９の背面に縦切開を入れて１次陽性石膏型１６と中敷１８から石膏ギブス１９を外す。次いで、石膏ギブス１９の切開部を石膏ギプスで塞ぎ、かくして２次陰性石膏型２０を得る。
【００３５】
次ぎに、図１１に示すように、２次陰性石膏型２０に石膏２１を流し込み、図８に示す工程と同様に石膏が固まるのを待つ。石膏２１が固まったら２次陰性石膏型２０を外し、むき出しになった石膏２１の表面をヤスリで整え、これにより中敷１８を入れる余裕をもった深型の２次陽性石膏型２２を得る。
【００３６】
次の工程は、図１２に示すように、無縫製（シームレス）靴下２３を２次陽性石膏型２２の上に被せることである。被せた靴下２３は後工程での甲革の裏張りとなる。
【００３７】
次ぎの工程は靴のための芯２４を製作することである。芯２４は、ヒールカウンター(heel counter)部分とトウボックス（toe box）部分に相当する部分の靴下２３の上に硬化処理を施すことによって形成される。具体的には、例えば、グラスファイバーの様な強化繊維の布片を当該部分に貼り付け、エポキシ樹脂、ポリエステル樹脂などの樹脂を塗布し硬化させて芯２４Ａ、２４Ｂを形成する（図１３及び１４）。
【００３８】
次いで、図１５に示すように、１枚目の靴下２３及び芯２４に、接着剤、例えば水性ボンドを薄く塗り、その上に２枚目の無縫製（シームレス）靴下２５を被せ、１枚目の靴下２３と接着させる。そして、図１６に示すように、その靴下２５の上からこれにディップモールディングで、スチレンブタジエンゴムのようなセメント配合合成ゴム、ポリウレタン、塩化ビニル、酢酸ビニル、アクリルゴム、アクリルシリコン、熱可塑性エラストマーなどの硬質又は半硬質樹脂材料２６を満遍なく付ける。図１６から分かるように、デッィップモールディングは、靴の履き口までとして靴下の履き口部分２７には硬質又は半硬質樹脂材料を付着させないようにするのが望ましい。硬質又は半硬質樹脂材料２６は少なくとも最初の裏張りとなる靴下の表面までしみ込んで芯２４をサンドイッチにした甲革２８が形成される。
【００３９】
次ぎの工程は、２次陽性石膏型２２の型抜きである。先ず、甲側に、ニ層をなしている靴下の履き口から、のど部を経て爪革に相当する部分まで縦切開２９を入れ、この縦切開切開２９により甲革２８がその部分で開くことにより２次陽性石膏型２２を甲革２８から引き抜くことができる（図１７）。甲革２８を、そのニ層の靴下の硬質又は半硬質樹脂材料２６の塗られていない部分でカットする。
【００４０】
最後の工程は底付けである。この底付けは、図１８に示すように、先に得られた甲革２８に別途用意された靴底３０を接着剤で接着し、または糸で縫いつけて固定することによって達成される。
【００４１】
靴製作の仕上げとして、甲革２８は外羽根(blucher)型とし、周径の調節機能を高めるために外科開き(surgical opening)とするのが望ましい。甲革２８のカットされた端を内側に折り込んで、縫製固定して靴の履き口を形成する。甲革２８と同じ素材の舌(tongue)３１を先飾り(toe cap)部分に縫い付ける。図１９に示すように、靴紐用の鳩目３２を縦切開２９に沿って設けてもよいし、或いは、ベルクロ(図示せず)を縫い付けてもよい。靴底３０を削って靴全体の体裁を整え、最後に中敷１８を靴内に挿入し、図示した例では、靴紐３３を鳩目３２に通すことによって、靴が完成する。
【００４２】
このようにして製作された靴に中敷１８を入れたときには、靴の内部は足底から甲に至るまで注文者の足に完全に適合する形状を有することになる。本発明によれば、この様な足に適合する靴を、経験を必要とする吊り込み作業を伴わない、極めて単純且つ容易な手順で製作することができ、足の整形外科の分野において大変有用である。
【図面の簡単な説明】
【００４３】
【図１】本発明の第１実施形態における靴製作方法における、靴下を履かせた靴型の概略断面図である。
【図２】樹脂材料をつけた靴下の概略側面図である。
【図３】靴底が取り付けられた甲革の概略側面図である。
【図４】不要部分がカットされた甲革の概略側面図である。
【図５】一部切開された甲革の概略平面図である。
【図６】完成された靴の側面図である。
【図７】本発明の第２実施形態における靴製作方法における、注文者の足の靴下の上から石膏ギブスを巻いて１次陰性石膏型を製作している様子を示す断面図である。
【図８】１次陰性石膏型に石膏を流し込んで１次陽性石膏型を製作している様子を示す断面図である。
【図９】１次陽性石膏型の足底部に中敷を成型により形成した様子を示す断面図である。
【図１０】図９に示す１次陽性石膏型及び中敷の上に石膏ギプスを巻いて２次陰性石膏型を製作している様子を示す断面図である。
【図１１】２次陰性石膏型に石膏を流し込んで２次陽性石膏型を製作している様子を示す断面図である。
【図１２】２次陽性石膏型に、甲革の内張りとなる靴下を履かせている様子を示す断面図である。
【図１３】図１２に示す２次陽性石膏型に履かせた靴下に強化樹脂による芯を形成している様子を示す断面図である。
【図１４】図１３の側面図である。
【図１５】芯及び靴下の上にもう一枚の靴下を履かせた様子を示す断面図である。
【図１６】図１５の靴下の上にディップモールディングにより硬質又は半硬質樹脂材料を付着させて甲革を形成した様子を示す側面図である。
【図１７】２次陽性石膏型から脱型させた甲革の側面図である。
【図１８】甲革に靴底を付けた側面図である。
【図１９】完成された靴の側面図である。
【符号の説明】
【００４４】
１  靴型
２  靴下
３  樹脂材料
４  甲革
５  靴底
【図１】
2005334622.tif 000003
【図２】
2005334622.tif 000004
【図３】
2005334622.tif 000005
【図４】
2005334622.tif 000006
【図５】
2005334622.tif 000007
【図６】
2005334622.tif 000008
【図７】
2005334622.tif 000009
【図８】
2005334622.tif 000010
【図９】
2005334622.tif 000011
【図１０】
2005334622.tif 000012
【図１１】
2005334622.tif 000013
【図１２】
2005334622.tif 000014
【図１３】
2005334622.tif 000015
【図１４】
2005334622.tif 000016
【図１５】
2005334622.tif 000017
【図１６】
2005334622.tif 000018
【図１７】
2005334622.tif 000019
【図１８】
2005334622.tif 000020
【図１９】
2005334622.tif 000021